(57)【要約】【課題】照明器具を制御する無線信号を送信する無線コントローラの送信電力が抑制された照明システム等を提供する。【解決手段】照明システム１００は、無線コントローラ３００と、無線コントローラ３００と通信可能な複数の照明器具２００と、記憶部（記憶部３３０又は記憶部４３０）とを備える。無線コントローラ３００は、複数の照明器具２００のうち、第一送信電力で通信可能な第一照明器具を第一区分に区分して記憶部３３０又は記憶部４３０に記憶させ、第一送信電力より大きい第二送信電力で通信可能な第二照明器具を第二区分に区分して記憶部３３０又は記憶部４３０に記憶させる。【選択図】図１
2019033032.tif 000002
【特許請求の範囲】
【請求項１】
無線コントローラと、
前記無線コントローラと通信可能な複数の照明器具と、
記憶部とを備え、
前記無線コントローラは、
前記複数の照明器具のうち、第一送信電力で通信可能な第一照明器具を第一区分に区分して前記記憶部に記憶させ、前記第一送信電力より大きい第二送信電力で通信可能な第二照明器具を第二区分に区分して前記記憶部に記憶させる
照明システム。
【請求項２】
前記無線コントローラは、
前記第一送信電力で送信される第一信号を前記複数の照明器具に送信し、前記第一信号に応答する照明器具を前記第一照明器具として前記第一区分に区分して前記記憶部に記憶させ、
前記第一信号を送信した後、前記第二送信電力で送信される第二信号を前記複数の照明器具に送信し、前記第一照明器具を除く前記複数の照明器具のうち、前記第二信号に応答する照明器具を前記第二照明器具として前記第二区分に区分して前記記憶部に記憶させる
請求項１に記載の照明システム。
【請求項３】
前記無線コントローラは、
前記第一信号を複数回送信し、前記複数の照明器具のうち、第一目標回数以上の応答回数にあった照明器具を、前記第一照明器具として前記第一区分に区分して前記記憶部に記憶させ、
さらに、前記第二信号を複数回送信し、第二目標回数以上の応答回数にあった照明器具を、前記第二照明器具として前記第二区分に区分して前記記憶部に記憶させる
請求項２に記載の照明システム。
【請求項４】
前記第二送信電力は、前記第一送信電力に係数を乗じた値であって、前記係数は１より大きい
請求項１〜３のいずれか１項に記載の照明システム。
【請求項５】
前記無線コントローラは、前記記憶部を備える
請求項１〜４のいずれか１項に記載の照明システム。
【請求項６】
さらに、前記記憶部を有し、且つ、前記無線コントローラと通信可能な端末装置を備える
請求項１〜４のいずれか１項に記載の照明システム。
【請求項７】
前記無線コントローラは、
前記第一照明器具とは前記第一送信電力でペアリングし、
前記第二照明器具とは前記第二送信電力でペアリングする
請求項１〜６のいずれか１項に記載の照明システム。
【請求項８】
前記無線コントローラは、
ペアリングした前記複数の照明器具の照明制御をするための無線信号を送信可能であり、
前記無線信号は、
前記第一照明器具には前記第一送信電力で送信され、
前記第二照明器具には前記第二送信電力で送信される
請求項７に記載の照明システム。
【請求項９】
複数の照明器具と無線通信可能な無線コントローラであって、
前記複数の照明器具と通信する通信部と、
前記複数の照明器具のうち、前記通信部が第一送信電力で通信可能な第一照明器具を第一区分に区分して記憶部に記憶させ、前記通信部が第一送信電力より大きい第二送信電力で通信可能な第二照明器具を第二区分に区分して前記記憶部に記憶させる制御部と、を備える
無線コントローラ。
【請求項１０】
複数の照明器具と無線通信可能な無線コントローラの制御方法であって、
前記複数の照明器具のうち、第一送信電力で通信可能な第一照明器具を第一区分に区分して記憶部に記憶させるステップと、
前記第二送信電力で通信可能な第二照明器具を第二区分に区分して前記記憶部に記憶させるステップと、を含む
制御方法。
【請求項１１】
請求項１０に記載の制御方法をコンピュータに実行させるための
プログラム。
【発明の詳細な説明】
【技術分野】
【０００１】
本発明は、照明システム、無線コントローラ、制御方法及びプログラムに関する。
【背景技術】
【０００２】
従来、複数の照明器具と無線通信を行うことで、複数の照明器具のそれぞれの点灯、消灯等を制御する技術が知られている（例えば、特許文献１参照）。
【０００３】
特許文献１に記載の照明システムは、１以上の照明器具（照明装置）と、当該照明器具と通信することができる無線コントローラであるタブレット端末とを備える。無線コントローラは、照明器具へ当該照明器具を制御する無線信号を送信することにより、照明器具それぞれの調光、調色等の制御を行うことができる。また、無線コントローラは、複数の照明器具のグループ化をすることができ、グループ単位での照明器具の制御が可能である。
【先行技術文献】
【特許文献】
【０００４】
【特許文献１】特開２０１５−０１８６３６号公報
【発明の概要】
【発明が解決しようとする課題】
【０００５】
複数の照明器具をグループ単位で制御する場合には、無線コントローラは、当該無線コントローラからの無線信号が最も届きにくい照明器具と確実に通信できる強い送信電力で無線信号を送信する。そのため、無線コントローラは、例えば、無線コントローラと比較的近い照明器具に無線信号を送信する場合に、必要以上に強い送信電力で無線信号を出力することになる。これにより、無線コントローラの電力消費は、大きくなる。
【０００６】
そこで、本発明は、照明器具を制御する無線信号を送信する無線コントローラの送信電力が抑制された照明システム等を提供する。
【課題を解決するための手段】
【０００７】
本発明の一態様に係る照明システムは、無線コントローラと、前記無線コントローラと通信可能な複数の照明器具と、記憶部とを備え、前記無線コントローラは、前記複数の照明器具のうち、第一送信電力で通信可能な第一照明器具を第一区分に区分して前記記憶部に記憶させ、前記第一送信電力より大きい第二送信電力で通信可能な第二照明器具を第二区分に区分して前記記憶部に記憶させる。
【０００８】
また、本発明の一態様に係る無線コントローラは、複数の照明器具と無線通信可能な無線コントローラであって、前記複数の照明器具と通信する通信部と、前記複数の照明器具のうち、前記通信部が第一送信電力で通信可能な第一照明器具を第一区分に区分して記憶部に記憶させ、前記通信部が第一送信電力よりも大きい第二送信電力で通信可能な第二照明器具を第二区分に区分して前記記憶部に記憶させる制御部と、を備える。
【０００９】
また、本発明の一態様に係る制御方法は、複数の照明器具と無線通信可能な無線コントローラの制御方法であって、前記複数の照明器具のうち、第一送信電力で通信可能な第一照明器具を第一区分に区分して記憶部に記憶させるステップと、前記第二送信電力で通信可能な第二照明器具を第二区分に区分して前記記憶部に記憶させるステップと、を含む。
【００１０】
なお、本発明は、上記制御方法に含まれるステップをコンピュータに実行させるプログラムとして実現されてもよい。また、本発明は、そのプログラムを記録したコンピュータによって読み取り可能なＣＤ−ＲＯＭ等の記録媒体として実現されてもよい。また、本発明は、そのプログラムを示す情報、データ又は信号として実現されてもよい。そして、それらプログラム、情報、データ及び信号は、インターネット等の通信ネットワークを介して配信されてもよい。
【発明の効果】
【００１１】
本発明の照明システム等によれば、照明器具を制御する無線信号の送信電力が抑制された照明システム等を提供する。
【図面の簡単な説明】
【００１２】
【図１】図１は、実施の形態に係る照明システムを説明するための図である。
【図２】図２は、実施の形態に係る照明システムの特徴的な機能構成を示すブロック図である。
【図３】図３は、実施の形態に係る無線コントローラが無線信号の送信電力を決定する処理手順を示すフローチャートである。
【図４】図４は、実施の形態に係る照明システムが無線信号の送信電力を決定する処理手順を示すシーケンス図である。
【図５】図５は、実施の形態に係る照明システムによって作成される照明器具と送信出力との関係の一例を示す図である。
【発明を実施するための形態】
【００１３】
以下、実施の形態に係る照明システム等について、図面を参照しながら説明する。なお、以下で説明する実施の形態は、いずれも包括的又は具体的な例を示すものである。以下の実施の形態で示される数値、形状、材料、構成要素、構成要素の配置位置及び接続形態、ステップ、ステップの順序等は、一例であり、本発明を限定する主旨ではない。また、以下の実施の形態における構成要素のうち、最上位概念を示す独立請求項に記載されていない構成要素については、任意の構成要素として説明される。
【００１４】
なお、各図は模式図であり、必ずしも厳密に図示されたものではない。また、各図において、実質的に同一の構成に対しては同一の符号を付しており、重複する説明は省略又は簡略化される場合がある。
【００１５】
（実施の形態）
［照明システムの概要］
図１は、実施の形態に係る照明システム１００を説明するための図である。具体的には、図１は、実施の形態に係る照明システム１００であって、照明システム１００が備える照明器具２０１〜２１８、無線コントローラ３００及び端末装置４００を示す図である。なお、図１では、１８台の照明器具が示されているが、これは一例であり、実際は建物の天井などに１００台以上の照明器具が設置されることがある。以下、照明器具を総称して照明器具２００と呼ぶ場合がある。
【００１６】
複数の照明器具２００のそれぞれと、無線コントローラ３００とは、例えば、建物の天井等の造営材に設置され、無線によって通信可能となっている。無線による通信方式としては、９２０ＭＨｚ帯または２．４ＧＨｚ帯の周波数を利用した特定小電力無線、Ｚｉｇｂｅｅ（登録商標）、Ｂｌｕｅｔｏｏｔｈ（登録商標）、または、Ｗｉ−Ｆｉ（登録商標）等の方式が例示される。
【００１７】
無線コントローラ３００は、無線信号を照明器具２００へ送信する。照明器具２００は、当該無線信号を受信し、無線信号に応じた態様で点灯、消灯等の制御を実行する。つまり、無線コントローラ３００は、照明器具２００の点灯状態等を制御する無線信号を送信可能な通信装置である。
【００１８】
また、無線コントローラ３００は、異なる送信電力で、無線信号を送信可能に構成されている。無線コントローラ３００は、例えば、第一送信電力で第一信号（無線信号）Ｒ１を送信し、第一送信電力より大きい第二送信電力で第二信号（無線信号）Ｒ２を送信し、第二送信電力より大きい第三送信電力で第三信号（無線信号）Ｒ３を送信可能となっている。
【００１９】
また、無線コントローラ３００と端末装置４００とは、有線又は無線により通信可能となっている。無線による通信方式としては、複数の照明器具２００のそれぞれと、無線コントローラ３００との無線方式と同様の方式が例示される。また、無線コントローラ３００と端末装置４００とは、例えば、それぞれがＵＳＢ（Ｕｎｉｖｅｒｓａｌ  Ｓｅｒｉａｌ  Ｂｕｓ）等の接続端子を備え、有線で通信可能となっていてもよい。
【００２０】
［照明システムの構成］
続いて、照明システム１００の具体的な構成について説明する。
【００２１】
図２は、実施の形態に係る照明システム１００の特徴的な機能構成を示すブロック図である。
【００２２】
照明システム１００は、照明器具２００と、無線コントローラ３００と、端末装置４００とを備える。
【００２３】
照明器具２００は、通信部２５０と、制御部２６０と、記憶部２７０と、光源２８０とを備える。
【００２４】
通信部２５０は、無線コントローラ３００と無線通信する。通信部２５０は、例えば、アンテナと無線モジュールとから構成されている。通信部２５０は、無線コントローラ３００が有する通信部３１０と通信可能に接続されている。
【００２５】
制御部２６０は、光源２８０の点灯、消灯、調光、調色等の制御をする制御装置である。制御部２６０は、例えば、ＣＰＵ（Ｃｅｎｔｒａｌ  Ｐｒｏｃｅｓｓｉｎｇ  Ｕｎｉｔ）と、記憶部２７０に記憶されているＣＰＵが実行する制御プログラムとによって実現される。制御部２６０は、無線コントローラ３００から通信部２５０を介して無線信号を取得し、取得した無線信号に基づいて、光源２８０の制御を行う。
【００２６】
記憶部２７０は、制御部２６０の制御プログラムが記憶されているメモリである。記憶部２７０は、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＳＳＤ（Ｓｏｌｉｄ  Ｓｔａｔｅ  Ｄｒｉｖｅ）、ＨＤＤ（Ｈａｒｄ  Ｄｉｓｃ  Ｄｒｉｖｅ）、フラッシュメモリ等によって構成されている。
【００２７】
光源２８０は、例えば、白色光、赤色光、緑色光、青色光を発する１又は複数の発光ダイオードから構成される光源である。照明器具２００は、例えば、ＬＥＤ（Ｌｉｇｈｔ  Ｅｍｉｔｔｉｎｇ  Ｄｉｏｄｅ）ライトであり、建物の造営材の一例である天井等に設置される。照明器具２００としては、シーリングライト、ダウンライト等が例示される。
【００２８】
無線コントローラ３００は、照明器具２００を制御する無線信号を送信する通信装置である。無線コントローラ３００は、通信部３１０、３４０と、制御部３２０と、記憶部３３０とを備える。
【００２９】
通信部３１０、３４０は、照明器具２００及び端末装置４００と無線通信する。具体的には、通信部３１０は、照明器具２００が有する通信部２５０と通信可能に接続されており、通信部３４０は、端末装置４００が有する通信部４１０と通信可能に接続されている。通信部３１０、３４０は、例えば、アンテナと無線モジュールとから構成されている。
【００３０】
また、通信部３１０は、複数の送信電力で、照明器具２００と通信する。具体的には、通信部３１０は、第一送信電力、及び、当該第一送信電力より大きい第二送信電力で照明器具２００と通信する。例えば、通信部３１０は、複数の照明器具２００のうち、一部の照明器具とは、第一送信電力で通信し、他部の照明器具とは、第二送信電力で通信する。なお、通信部３１０は、第二送信電力より大きい電力で照明器具２００と通信できてもよく、図１には、さらに、第二送信電力より大きい第三送信電力で照明器具と通信可能な例を示している。
【００３１】
制御部３２０は、照明器具２００を制御する無線信号の送信を制御する制御装置である。制御部３２０は、例えば、ＣＰＵと、記憶部３３０に記憶されているＣＰＵが実行する制御プログラムとによって実現される。制御部３２０は、端末装置４００から通信部３４０を介して指示を取得し、取得した指示に基づいて、無線信号を生成し、生成した無線信号を照明器具２００へ通信部３１０を介して送信する。
【００３２】
また、制御部３２０は、例えば、複数の照明器具２００のうち、通信部３１０が第一送信電力で通信可能な第一照明器具を第一区分に区分して記憶部３３０に記憶させ、通信部３１０が第二送信電力で通信可能な第二照明器具を第二区分に区分して記憶部３３０に記憶させる。
【００３３】
より具体的には、制御部３２０は、第一送信電力で送信される第一信号Ｒ１を複数の照明器具２００のそれぞれにブロードキャスト送信し、第一信号Ｒ１に応答する照明器具を第一照明器具として第一区分に区分して記憶部３３０に記憶させる。また、制御部３２０は、第一信号Ｒ１を送信した後、第二送信電力で送信される第二信号Ｒ２を複数の照明器具２００それぞれにブロードキャスト送信し、第一照明器具を除く複数の照明器具２００のうち、第二信号Ｒ２に応答する照明器具を第二照明器具として第二区分に区分して記憶部３３０に記憶させる。
【００３４】
このように、無線コントローラ３００は、通信部３１０を介して複数の照明器具２００へ送信電力を変えて無線信号を送信し、送信した無線信号の応答に基づいて、複数の照明器具２００と、複数の照明器具２００のそれぞれと通信可能な送信電力との対応関係を示すテーブル情報を作成する。
【００３５】
無線コントローラ３００は、例えば、第一信号Ｒ１を複数回送信し、複数の照明器具２００のうち、第一目標回数以上の応答回数にあった照明器具を、第一照明器具として第一区分に区分して記憶部３３０に記憶させる。無線コントローラ３００は、第二信号Ｒ２を複数回送信し、第二目標回数以上の応答回数にあった照明器具を、第二照明器具として第二区分に区分して記憶部３３０に記憶させる。
【００３６】
例えば、無線コントローラ３００は、第一信号Ｒ１を繰り返し１００回送信する。無線コントローラ３００は、第一目標回数が９９回と設定されている場合には、照明器具２００から第一信号Ｒ１に対する応答として、応答信号を９９回又は１００回受信した場合に、当該応答信号を送信した送信元の照明器具を、第一照明器具に分類する。第二信号Ｒ２に関しても、第一信号Ｒ１を同様である。
【００３７】
なお、無線コントローラ３００が第一信号Ｒ１及び第二信号Ｒ２を繰り返し送信する回数と、第一目標回数及び第二目標回数とは、特に限定されるものではない。また、無線コントローラ３００における第一信号Ｒ１の送信の繰り返し回数と、第二信号Ｒ２の送信の繰り返し回数とは、同じでもよいし、異なってもよい。第一目標回数と第二目標回数とは、同じでもよいし、異なってもよい。
【００３８】
また、例えば、第二送信電力は、第一送信電力より大きく、例えば、第一送信電力に１より大きい係数を乗じた値に設定されてもよい。
【００３９】
また、制御部３２０は、第一送信電力で通信可能な第一照明器具を第一区分に区分して端末装置４００の記憶部４３０に記憶させ、第二送信電力で通信可能な第二照明器具を第二区分に区分して端末装置４００の記憶部４３０に記憶させてもよい。つまり、無線コントローラ３００が作成した複数の照明器具２００それぞれと通信可能な送信電力との関係を示すテーブル情報は、無線コントローラ３００が有する記憶部３３０に記憶されてもよいし、端末装置４００が有する記憶部４３０に記憶されてもよい。
【００４０】
また、制御部３２０は、例えば、作成したテーブル情報に基づいて、複数の照明器具２００のそれぞれとペアリングを実行する。すなわち、制御部３２０は、第一照明器具とは第一送信電力でペアリングし、第二照明器具とは第二送信電力でペアリングする。
【００４１】
また、制御部３２０は、ペアリングした複数の照明器具２００の照明制御をするための無線信号を、通信部３１０を介して送信する。制御部３２０は、当該無線信号を送信する場合に、作成したテーブル情報に基づいて、無線信号を、第一照明器具には第一送信電力で送信し、第二照明器具には第二送信電力で送信する。
【００４２】
なお、制御部３２０は、複数の照明器具２００を第一照明器具と第二照明器具とに分類する説明をしたが、照明器具を分類する区分の数は特に限定されるものではない。例えば、制御部３２０は、第一送信電力で通信可能な第一照明器具を第一区分に区分して記憶部３３０に記憶させ、第一送信電力より大きい第二送信電力で通信可能な第二照明器具を第二区分に区分して記憶部３３０に記憶させ、第二送信電力より大きい第三送信電力で通信可能な第三照明器具を第三区分に区分して記憶部３３０に記憶させてもよい。
【００４３】
記憶部３３０は、制御部３２０の制御プログラムが記憶されているメモリである。記憶部３３０は、例えば、ＲＡＭ、ＲＯＭ、ＳＳＤ、ＨＤＤ、フラッシュメモリ等によって構成されている。
【００４４】
端末装置４００は、無線コントローラ３００に照明器具２００を制御する無線信号の内容を指示するサーバ装置である。端末装置４００は、例えば、無線コントローラ３００を複数備える照明システムにおいては、無線コントローラ３００それぞれに当該無線コントローラ３００が制御可能な照明器具の制御の内容を指示する。端末装置４００は、通信部４１０と、制御部４２０と、記憶部４３０とを備える。
【００４５】
通信部４１０は、無線コントローラ３００と無線通信する。具体的には、通信部４１０は、無線コントローラ３００が有する通信部３４０と通信可能に接続されている。通信部４１０は、例えば、アンテナと無線モジュールとから構成される。
【００４６】
制御部４２０は、無線コントローラ３００が照明器具２００へ送信する無線信号の内容を指示する制御装置である。制御部４２０は、例えば、ＣＰＵと、記憶部４３０に記憶されているＣＰＵが実行する制御プログラムとによって実現される。制御部４２０は、例えば端末装置４００が有する図示しないタッチパネル等の操作部でユーザの指示を受け付けて、受け付けた指示を無線コントローラ３００へ送信する。無線コントローラ３００は、端末装置４００から通信部３４０を介して指示を取得し、取得した指示に基づいて、無線信号を生成し、生成した無線信号を照明器具２００へ通信部３１０を介して送信する。
【００４７】
記憶部４３０は、制御部４２０の制御プログラムが記憶されているメモリである。記憶部４３０は、例えば、ＲＡＭ、ＲＯＭ、ＳＳＤ、ＨＤＤ、フラッシュメモリ等によって構成されている。また、記憶部４３０には、複数の照明器具２００のそれぞれと、無線コントローラ３００が通信可能な送信電力との対応関係を示すテーブル情報が記憶されてもよい。
【００４８】
［照明システムの動作手順］
続いて、無線コントローラ３００が無線信号の送信電力を決定する処理手順について説明する。なお、以下では、複数の照明器具２００と、複数の照明器具２００のそれぞれと通信可能な送信電力との対応関係を示すテーブル情報は、無線コントローラ３００が備える記憶部３３０に記憶されるものとして説明する。
【００４９】
図３は、実施の形態に係る無線コントローラ３００が無線信号の送信電力を決定する処理手順を示すフローチャートである。
【００５０】
無線コントローラ３００は、第一送信電力で無線信号である第一信号Ｒ１を送信する（ステップＳ１０１）。具体的には、ステップＳ１０１において、無線コントローラ３００の制御部３２０は、通信部３１０を介して第一信号Ｒ１を送信する。
【００５１】
次に、無線コントローラ３００の制御部３２０は、送信した第一信号Ｒ１に対する応答を受信したか否かを判定する（ステップＳ１０２）。
【００５２】
無線コントローラ３００の制御部３２０は、送信した第一信号Ｒ１に対する応答である応答信号を受信した場合（ステップＳ１０２でＹｅｓ）、受信した応答信号の送信元の照明器具を第一照明器具として第一区分に分類して、記憶部３３０に記憶させる（ステップＳ１０３）。
【００５３】
無線コントローラ３００の制御部３２０は、ステップＳ１０３の次に、又は、送信した第一信号Ｒ１に対する応答である応答信号を受信しなかった場合（ステップＳ１０２でＮｏ）に、第一送信電力より大きい第二送信電力で無線信号である第二信号Ｒ２を送信する（ステップＳ１０４）。具体的には、ステップＳ１０４において、無線コントローラ３００の制御部３２０は、通信部３１０を介して第二信号Ｒ２を送信する。
【００５４】
次に、無線コントローラ３００の制御部３２０は、送信した第二信号Ｒ２に対する応答を受信したか否かを判定する（ステップＳ１０５）。
【００５５】
無線コントローラ３００の制御部３２０は、送信した第二信号Ｒ２に対する応答である応答信号を受信した場合（ステップＳ１０５でＹｅｓ）、受信した応答信号の送信元の照明器具が第一照明器具であるか否かを判定する（ステップＳ１０６）。
【００５６】
無線コントローラ３００の制御部３２０は、受信した応答信号の送信元の照明器具が第一照明器具ではない場合（ステップＳ１０６でＮｏ）、受信した応答信号の送信元の照明器具を第二照明器具として第二区分に分類して、記憶部３３０に記憶させる（ステップＳ１０７）。
【００５７】
一方、無線コントローラ３００の制御部３２０は、ステップＳ１０７の次に、又は、送信した第二信号Ｒ２に対する応答である応答信号を受信しなかった場合（ステップＳ１０５でＮｏ）に、或いは、受信した応答信号の送信元の照明器具が第一照明器具であると判定した場合（ステップＳ１０６でＹｅｓ）に、例えば、処理を終了する。
【００５８】
なお、無線コントローラ３００制御部３２０は、予め送信電力を確認する照明器具の数が記憶部３３０に記憶されている場合、記憶部３３０に記憶されている照明器具全てから応答信号を受信するまで、送信電力を変えて無線信号を送信し続けてもよい。
【００５９】
また、無線コントローラ３００の制御部３２０は、所定の回数だけ送信電力を変えて無線信号を送信し、応答信号を受信できなかった照明器具を別に区分してもよい。照明システム１００は、例えば、当該区分に分類された照明器具には、ユーザが当該照明器具のアドレスを指示し、他の照明器具を介して（つまり、ホッピングによって）、当該区分に分類された照明器具へ無線信号が送信されるように設定されてもよい。
【００６０】
図４は、実施の形態に係る照明システム１００が無線信号の送信電力を決定する処理手順を示すシーケンス図である。なお、図４においては、無線コントローラ３００と、図１に示す照明器具２０７及び照明器具２０８とを例に挙げて説明する。
【００６１】
無線コントローラ３００の制御部３２０は、第一送信電力で第一信号Ｒ１をブロードキャスト送信する（ステップＳ２０１）。
【００６２】
ここで、ステップＳ２０１において、無線コントローラ３００が送信した第一信号Ｒ１は、照明器具２０７には到達したが、照明器具２０８には到達しなかったとする。照明器具２０７は、無線コントローラ３００が送信した第一信号Ｒ１に対する応答信号を送信する（ステップＳ２０２）。
【００６３】
無線コントローラ３００の制御部３２０は、照明器具２０７から応答信号を受信した場合に、照明器具２０７を第一照明器具として第一区分に分類して、記憶部３３０に記憶させる（ステップＳ２０３）。
【００６４】
無線コントローラ３００の制御部３２０は、さらに、第二送信電力で第二信号Ｒ２を、通信部３１０を介してブロードキャスト送信する（ステップＳ２０４）。
【００６５】
ここで、ステップＳ２０４において、無線コントローラ３００が送信した第二信号Ｒ２は、照明器具２０７及び照明器具２０８の双方に到達したとする。照明器具２０７は、無線コントローラ３００が送信した第二信号Ｒ２に対する応答信号を送信する（ステップＳ２０５）。また、照明器具２０８は、無線コントローラ３００が送信した第二信号Ｒ２に対する応答信号を送信する（ステップＳ２０６）。
【００６６】
無線コントローラ３００の制御部３２０は、照明器具２０７及び照明器具２０８から応答信号を受信した場合に、照明器具２０７及び照明器具２０８が第一照明器具であるか否かを判定する。図４においては、無線コントローラ３００の制御部３２０は、照明器具２０７は第一照明器具に分類して記憶部３２０に記憶しているため、第一照明器具ではない照明器具２０８のみを第二照明器具として分類して、記憶部３３０に記憶させる（ステップＳ２０７）。
【００６７】
このように、無線コントローラ３００の制御部３２０は、複数の照明器具２００を通信可能な無線信号の送信強度に応じて分類して、記憶部３３０に記憶させる。
【００６８】
なお、ステップＳ２０１において、無線コントローラ３００の制御部３２０は、例えば、第一信号Ｒ１を複数回送信し、照明器具２０７、２０８のうち、第一目標回数以上の応答回数にあった照明器具を、第一照明器具として第一区分に区分して記憶部３３０に記憶させてもよい。
【００６９】
例えば、無線コントローラ３００の制御部３２０は、第一信号Ｒ１を繰り返し１００回送信する。無線コントローラ３００の制御部３２０は、第一目標回数が９９回と設定されている場合には、照明器具２０７から第一信号Ｒ１に対する応答として、応答信号を９９回又は１００回受信した場合に、照明器具２０７を、第一照明器具に分類してもよい。
【００７０】
また、ステップＳ２０４において、無線コントローラ３００の制御部３２０は、第二信号Ｒ２を複数回送信し、第二目標回数以上の応答回数にあった照明器具２０７、２０８を、第二照明器具として第二区分に区分して記憶部３３０に記憶させてもよい。
【００７１】
例えば、無線コントローラ３００の制御部３２０は、第二信号Ｒ２を繰り返し１００回送信する。無線コントローラ３００の制御部３２０は、第二目標回数が９９回と設定されている場合には、照明器具２０８から第二信号に対する応答として、応答信号を９９回又は１００回受信した場合に、照明器具２０８を、第二照明器具に分類してもよい。
【００７２】
図５は、実施の形態に係る照明システム１００の無線コントローラ３００の制御部３２０によって作成される複数の照明器具２００と送信出力との関係の一例を示す図である。具体的には、図５は、図１に示す照明器具２０１〜２１８と、無線コントローラ３００と通信可能な送信強度との関係を示すテーブル情報を示す図である。なお、図５においては、図１に示す第一信号Ｒ１の第一送信強度を１ｍＷとし、図１に示す第二信号Ｒ２の第二送信強度を２ｍＷとし、図１に示す第三信号Ｒ３の第三送信強度を５ｍＷとした場合のテーブルである。
【００７３】
無線コントローラ３００の制御部３２０は、図３及び図４に示すフローに従って、図５に示すテーブルをテーブル情報として作成する。無線コントローラ３００の制御部３２０は、例えば、テーブル情報に基づいて、複数の照明器具２００とペアリングを実行する。また、無線コントローラ３００の制御部３２０は、例えば、テーブル情報に基づいて、複数の照明器具２００の照明を制御する無線信号を送信する。
【００７４】
［効果等］
実施の形態に係る照明システム１００は、無線コントローラ３００と、無線コントローラ３００と通信可能な複数の照明器具２００と、記憶部３３０及び／又は記憶部４３０とを備える。無線コントローラ３００は、複数の照明器具２００のうち、第一送信電力で通信可能な第一照明器具を第一区分に区分して記憶部３３０及び／又は記憶部４３０に記憶させ、第一送信電力より大きい第二送信電力で通信可能な第二照明器具を第二区分に区分して記憶部３３０及び／又は記憶部４３０に記憶させる。
【００７５】
このような構成によれば、無線コントローラ３００は、無線信号を送信する送信電力を必要最小限にして、当該無線信号を送信することができる。そのため、照明システム１００によれば、照明器具２００を制御する無線信号を送信する無線コントローラ３００の送信電力を抑制することができる。
【００７６】
例えば、無線コントローラ３００は、第一送信電力で送信される第一信号Ｒ１を複数の照明器具２００に送信し、第一信号Ｒ１に応答する照明器具を第一照明器具として第一区分に区分して記憶部３３０及び／又は記憶部４３０に記憶させてもよい。また、無線コントローラ３００は、第一信号Ｒ１を送信した後、第二送信電力で送信される第二信号Ｒ２を複数の照明器具２００に送信し、第一照明器具を除く複数の照明器具のうち、第二信号Ｒ２に応答する照明器具を第二照明器具として第二区分に区分して記憶部３３０及び／又は記憶部４３０に記憶させてもよい。
【００７７】
このような構成によれば、無線コントローラ３００は、複数の照明器具２００を、無線信号を送信する送信電力に応じて簡便に区分することができる。
【００７８】
また、無線コントローラ３００は、第一信号Ｒ１を複数回送信し、複数の照明器具２００のうち、第一目標回数以上の応答回数にあった照明器具を、第一照明器具として第一区分に区分して記憶部３３０及び／又は記憶部４３０に記憶させてもよい。また、無線コントローラ３００は、さらに、第二信号Ｒ２を複数回送信し、第二目標回数以上の応答回数にあった照明器具を、第二照明器具として第二区分に区分して記憶部３３０及び／又は記憶部４３０に記憶させてもよい。
【００７９】
このような構成によれば、無線コントローラ３００は、より確実に通信可能な送信電力に応じて複数の照明器具２００を区分することができる。そのため、このような構成によれば、無線コントローラ３００と照明器具２００との通信エラーを抑制することができる。
【００８０】
例えば、第二送信電力は、第一送信電力に係数を乗じた値であって、係数は１より大きくてもよい。
【００８１】
このような構成によれば、無線コントローラ３００は、簡便な処理で無線信号の送信電力を変更して、テーブル情報を作成することができる。
【００８２】
また、無線コントローラ３００は、記憶部３３０を備えてもよい。つまり、テーブル情報は、無線コントローラ３００が備える記憶部３３０に記憶されてもよい。
【００８３】
このような構成によれば、無線コントローラ３００は、例えば、端末装置４００等の他の機器に記憶されているテーブル情報を参照しに行く必要がなくなるため、テーブル情報を参照する場合の時間のロスが低減される。
【００８４】
また、照明システム１００は、さらに、記憶部４３０を有し、且つ、無線コントローラ３００と通信可能な端末装置４００を備えてもよい。つまり、テーブル情報は、端末装置４００が備える記憶部４３０に記憶されてもよい。
【００８５】
このような構成によれば、例えば、照明システム１００が複数の無線コントローラ３００を備える場合に、それぞれの無線コントローラ３００により作成されたテーブル情報を、端末装置４００でまとめて管理することができる。これにより、例えば、端末装置４００がより適切な無線コントローラ３００に、照明器具２００の制御をさせることができる。
【００８６】
また、無線コントローラ３００は、第一照明器具とは第一送信電力でペアリングし、第二照明器具とは第二送信電力でペアリングしてもよい。
【００８７】
このような構成によれば、無線コントローラ３００は、照明器具２００とのペアリング時に、無線信号を送信する送信電力を必要最小限にして、当該無線信号を送信することができる。そのため、照明システム１００によれば、照明器具２００を制御する無線信号を送信する無線コントローラ３００の送信電力を抑制することができる。
【００８８】
また、無線コントローラ３００は、ペアリングした複数の照明器具２００の照明制御をするための無線信号を送信可能でもよい。この場合、無線信号は、第一照明器具には第一送信電力で送信され、第二照明器具には第二送信電力で送信されてもよい。
【００８９】
このような構成によれば、無線コントローラ３００は、照明器具２００を制御する場合に、無線信号を送信する送信電力を必要最小限にして、当該無線信号を送信することができる。そのため、照明システム１００によれば、照明器具２００を制御する無線信号を送信する無線コントローラ３００の送信電力を抑制することができる。
【００９０】
また、実施の形態に係る無線コントローラ３００は、複数の照明器具２００と無線通信可能な無線コントローラ３００であって、複数の照明器具２００と通信する通信部３１０と、複数の照明器具２００のうち、第一送信電力で通信部３１０を介して通信可能な第一照明器具を第一区分に区分して記憶部３３０及び／又は記憶部４３０に記憶させ、第一送信電力よりも大きい第二送信電力で通信部３１０を介して通信可能な第二照明器具を第二区分に区分して記憶部３３０又は記憶部４３０に記憶させる制御部３２０と、を備える。
【００９１】
このような構成によれば、無線コントローラ３００は、無線信号を送信する送信電力を必要最小限にして、当該無線信号を送信することができる。そのため、無線コントローラ３００によれば、ペアリングした照明器具２００を制御する無線信号の送信電力を抑制することができる。
【００９２】
また、実施の形態に係る制御方法は、複数の照明器具２００と無線通信可能な無線コントローラ３００の制御方法であって、複数の照明器具２００のうち、第一送信電力で通信可能な第一照明器具を第一区分に区分して記憶部３３０及び／又は記憶部４３０に記憶させるステップと、第二送信電力で通信可能な第二照明器具を第二区分に区分して記憶部３３０又は記憶部４３０に記憶させるステップと、を含む。
【００９３】
このような制御方法によれば、当該制御方法を実行する装置は、無線信号を送信する送信電力を必要最小限にして、当該無線信号を送信することができる。そのため、実施の形態に係る制御方法によれば、照明器具２００を制御する無線信号の送信電力を抑制することができる。
【００９４】
また、本発明は、実施の形態に係る制御方法に含まれるステップをコンピュータに実行させるプログラムとして実現されてもよい。
【００９５】
これにより、実施の形態に係る制御方法は、簡便に照明器具を制御する無線信号の送信電力が抑制できるプログラムとしてコンピュータが実行できる。
【００９６】
（他の実施の形態）
以上、実施の形態に係る照明器具について説明したが、本発明は、上記実施の形態に限定されるものではない。
【００９７】
上記実施の形態では、制御部は、プロセッサがプログラムを実行することによってソフトウェア的に実現されたが、このような実現方法に限られず、ゲートアレイ等を用いた専用の電子回路によってハードウェア的に実現されてもよい。また、照明システムの各構成要素が行う処理をステップとして含むプログラム、及び、そのプログラムを記録したコンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ（登録商標）  Ｄｉｓｃ）、半導体メモリ等の記録媒体として実現することもできる。また、当該プログラムは、インターネット等の通信路で配信されてもよい。
【００９８】
つまり、上記包括的又は具体的な態様は、システム、装置、集積回路、コンピュータプログラム又はコンピュータ読み取り可能な記録媒体で実現されてもよく、システム、装置、集積回路、コンピュータプログラム及び記録媒体の任意な組み合わせで実現されてもよい。
【００９９】
その他、各実施の形態に対して当業者が思いつく各種変形を施して得られる形態、又は、本発明の趣旨を逸脱しない範囲で各実施の形態における構成要素及び機能を任意に組み合わせることで実現される形態も本発明に含まれる。
【符号の説明】
【０１００】
１００  照明システム
２００〜２１８  照明器具
２６０、３２０、４２０  制御部
２７０、３３０、４３０  記憶部
２５０、３１０、３４０、４１０  通信部
３００  無線コントローラ
４００  端末装置
Ｒ１  第一信号（無線信号）
Ｒ２  第二信号（無線信号）
【図１】
2019033032.tif 000003
【図２】
2019033032.tif 000004
【図３】
2019033032.tif 000005
【図４】
2019033032.tif 000006
【図５】
2019033032.tif 000007